(57)【要約】【課題】足指間の蒸れを長時間に渡って効果的に低減させることができる足指装着具を提供する。【解決手段】凹状部２２０に装着されるように、左右方向に延びているとともに、前後方向における、つま先２０４側に突出するように湾曲された本体部１０と、足指間２３０に挟持されるように、本体部１０に対して足指２１０側に突出するように設けられており、自由端部側に左右方向に膨出する膨出部３５が形成されている複数の突出部３０と、を備え、本体部１０および突出部３０は、吸水性を有し、本体部１０のうち、足２００の第２下面部２１２Ａに接触する部分における上下方向における厚みは、膨出部３５の左右方向における厚みよりも厚く形成される足指装着具１００とする。【選択図】図２
2020005816.tif 000002
【特許請求の範囲】
【請求項１】
足の母趾側と小趾側とを結ぶ方向を左右方向とし、足のつま先と踵とを結ぶ方向を前後方向とし、足の甲と足の裏を結ぶ方向を上下方向とし、各足指の下面部および各足指の付け根の下面部によって形成されるとともに左右方向に延びる窪んだ部分を凹状部として、前記凹状部および足指間に装着する足指装着具であって、
前記足指装着具を足に装着させた状態において、前記凹状部に装着されるように、前記左右方向に延びているとともに、前記前後方向における、つま先側に突出するように湾曲された本体部と、
前記足指装着具を足に装着させた状態において、足指間に挟持されるように、前記本体部に対して足指側に突出するように設けられており、自由端部側に前記左右方向に膨出する膨出部が形成されている複数の突出部と、
を備え、
前記本体部および前記突出部は、吸水性を有し、
前記本体部のうち、足の第二趾の下面部に接触する部分における前記上下方向における厚みは、前記膨出部の前記左右方向における厚みよりも厚く形成されている、
足指装着具。
【請求項２】
前記本体部は、前記前後方向における中央部において、上方に隆起するように形成されている、
請求項１に記載の足指装着具。
【請求項３】
前記本体部のつま先側の端部の位置、および前記突出部のつま先側の端部の位置は、前記前後方向において実質的に一致しており、
前記本体部の踵側の端部は、前記突出部の踵側の端部よりも踵側に延びている、
請求項１または請求項２に記載の足指装着具。
【請求項４】
前記本体部の下面に、粘着部が形成される、
請求項１から請求項３のいずれか１項に記載の足指装着具。
【請求項５】
前記本体部の上面に、粘着部が形成される、
請求項１から請求項４のいずれか１項に記載の足指装着具。
【発明の詳細な説明】
【技術分野】
【０００１】
本発明は、水虫の予防等に好適に用いられる足指装着具に関する。
【背景技術】
【０００２】
水虫は、真菌（カビ）の一種である白癬菌が皮膚に付着し、高温・多湿など白癬菌が増殖する環境が続くことで発症する。例えば、足指の間は汗で蒸れやすい部分であるため、水虫が発症しやすい部分である。
【０００３】
従来、足指間に挟持させた突出部によって汗を吸収することで、足指間の蒸れを低減させ、水虫の予防等を行う足指装着具が開発されている（例えば、特許文献１、２参照）。
【先行技術文献】
【特許文献】
【０００４】
【特許文献１】特開２０００−２５４１６５号公報
【特許文献２】特開平１１−１５５８９９号公報
【発明の概要】
【発明が解決しようとする課題】
【０００５】
しかしながら、上記従来の足指装着具では、突出部に吸収させた水分は、そのまま突出部に留まりやすいため、足指間の蒸れを効果的に低減させることは困難であった。
【０００６】
また、吸収された水分が突出部に留まりやすいため、長時間連続して使用すると、足指間の水分を突出部で吸収しにくい状態となり、足指間の蒸れを低減できない場合があった。
【０００７】
本発明は、上記課題を解決するためになされたものであって、足指間の蒸れを長時間に渡って効果的に低減させることができる足指装着具を提供することを目的とする。
【課題を解決するための手段】
【０００８】
本発明の足指装着具は、
足の母趾側と小趾側とを結ぶ方向を左右方向とし、足のつま先と踵とを結ぶ方向を前後方向とし、足の甲と足の裏を結ぶ方向を上下方向とし、各足指の下面部および各足指の付け根の下面部によって形成されるとともに左右方向に延びる窪んだ部分を凹状部として、前記凹状部および足指間に装着する足指装着具であって、
前記足指装着具を足に装着させた状態において、前記凹状部に装着されるように、前記左右方向に延びているとともに、前記前後方向における、つま先側に突出するように湾曲された本体部と、
前記足指装着具を足に装着させた状態において、足指間に挟持されるように、前記本体部に対して足指側に突出するように設けられており、自由端部側に前記左右方向に膨出する膨出部が形成されている複数の突出部と、
を備え、
前記本体部および前記突出部は、吸水性を有し、
前記本体部のうち、足の第二趾の下面部に接触する部分における前記上下方向における厚みは、前記膨出部の前記左右方向における厚みよりも厚く形成されている。
【発明の効果】
【０００９】
本発明の足指装着具によれば、足指間の蒸れを長時間に渡って効果的に低減させることができる。
【図面の簡単な説明】
【００１０】
【図１】図１は、使用者の足の部分名称を説明する示す図である。
【図２】図２は、本発明の第１実施形態に係る足指装着具の全体構成を示す平面図である。
【図３】図３は、図２のＡ−Ａ線における足指装着具の断面図である。
【図４】図４は、図２のＢ−Ｂ線における足指装着具の断面図である。
【図５】図５は、足指装着具を装着した足を足裏側から見た平面図である。
【図６】図６は、足指装着具を装着した足を足の甲側から見た平面図である。
【図７】図７は、図６のＣ−Ｃ線における足指装着具の断面図である。
【図８】図８は、図６のＤ−Ｄ線における足指装着具の断面図である。
【図９】図９は、本発明の第２実施形態に係る足指装着具の全体構成を示す平面図である。
【発明を実施するための形態】
【００１１】
本発明の一実施形態にかかる足指装着具は、
足の母趾側と小趾側とを結ぶ方向を左右方向とし、足のつま先と踵とを結ぶ方向を前後方向とし、足の甲と足の裏を結ぶ方向を上下方向とし、各足指の下面部および各足指の付け根の下面部によって形成されるとともに左右方向に延びる窪んだ部分を凹状部として、前記凹状部および足指間に装着する足指装着具であって、
前記足指装着具を足に装着させた状態において、前記凹状部に装着されるように、前記左右方向に延びているとともに、前記前後方向における、つま先側に突出するように湾曲された本体部と、
前記足指装着具を足に装着させた状態において、足指間に挟持されるように、前記本体部に対して足指側に突出するように設けられており、自由端部側に前記左右方向に膨出する膨出部が形成されている複数の突出部と、
を備え、
前記本体部および前記突出部は、吸水性を有し、
前記本体部のうち、足の第二趾の下面部に接触する部分における前記上下方向における厚みは、前記膨出部の前記左右方向における厚みよりも厚く形成されている（第１の構成）。
【００１２】
上記構成によれば、足指間に挟持される突出部が複数形成されているため、突出部から吸収した汗が本体部の最下部に向かって拡散することとなり、吸水効率が高く、足指間の蒸れを効果的に低減させることができる。また、本体部のうち、足の第二趾の下面部に接触する部分における上下方向における厚みは、膨出部の左右方向における厚みよりも厚く形成されているため、突出部の吸水効率が低下しにくくなり、長時間に渡って足指間の蒸れを低減させることができる。このため、足指間の蒸れを長時間に渡って効果的に低減させることができる。
【００１３】
また、本体部は、つま先側に突出するように湾曲しているため、足の凹状部に装着させやすくなり、使用時における本体部のずれを抑制することができる。
【００１４】
また、突出部は、左右方向に膨出する膨出部が形成されているため、本体部および突出部を足指に接触させやすくなるとともに、使用時における本体部および突出部のずれを抑制することができる。
【００１５】
上記第１の構成において、
前記本体部は、前記前後方向における中央部において、上方に隆起するように形成されていてもよい（第２の構成）。
【００１６】
上記構成によれば、本体部は、前後方向における中央部において、上方に隆起するように形成されている。このため、本体部が足指の下面部および足指の付け根の下面部に接触して汗を吸収しやすくなるとともに、本体部の体積を増大させて吸水量を増大させることができ、長時間に渡って足指間の蒸れを低減させることができる。
【００１７】
上記第１から第２の構成において、
前記本体部のつま先側の端部の位置、および前記突出部のつま先側の端部の位置は、前記前後方向において実質的に一致しており、
前記本体部の踵側の端部は、前記突出部の踵側の端部よりも踵側に延びていてもよい（第３の構成）。
【００１８】
上記構成によれば、本体部のつま先側の端部の位置、および突出部のつま先側の端部の位置は、前後方向において実質的に一致している。このため、本体部のつま先側の端部がめくれにくくなり、靴下やストッキングを着用した際に使用者が違和感を感じにくく、足指装着具を快適に使用することができる。また、本体部の踵側の端部は、突出部の踵側の端部よりも第２方向に延びている。このため、突出部から吸収した汗が本体部の最下部における踵側に拡散し、吸収された汗を足指間から遠ざけることとなり、足指間の蒸れを長時間に渡って効果的に低減させることができる。
【００１９】
上記第１から第３の構成において、
前記本体部の下面に、粘着部が形成されていてもよい（第４の構成）。
【００２０】
上記構成によれば、本体部の下面に、粘着部が形成される。このため、靴下やストッキングを着用した状態で本体部が靴下やストッキングに止着され、使用時における本体部および突出部のずれを抑制することができる。
【００２１】
上記第１から第４の構成において、
前記本体部の上面に、粘着部が形成されていてもよい（第５の構成）。
【００２２】
上記構成によれば、本体部の上面に、粘着部が形成される。このため、足指の下面部および足指の付け根の下面部に本体部が止着されることとなり、使用時における本体部のずれを抑制することができる。
【００２３】
［実施形態１］
以下、図面を参照し、本発明の実施形態に係る足指装着具１００について詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２４】
本実施形態の足指装着具１００は、使用者の右足（図示省略）と左足２００Ｌにそれぞれ適合するように、右足用と左足用とで異なる形状を有しているが、右足用の足指装着具（図示省略）と左足２００Ｌ用の足指装着具１００（１００Ｌ）は互いに対称の形状である。このため、以下の説明では、主に左足２００Ｌ用の足指装着具１００（１００Ｌ）について説明し、右足用の足指装着具については詳細な説明を省略する。
【００２５】
［足の部分名称］
まず、使用者の足２００の部分名称について説明する。図１は、使用者の足２００の部分名称を説明する示す図である。図１では、使用者の足２００（左足２００Ｌ）を足裏２０２側から見た状態を示している。
【００２６】
図１に示すように、足２００（左足２００Ｌ）の足指２１０は、母趾（第一趾）２１１、第二趾２１２、第三趾２１３、第四趾２１４、および小趾（第五趾）２１５である。
【００２７】
母趾（第一趾）２１１の下面部を第１下面部２１１Ａ、第二趾２１２の下面部を第２下面部２１２Ａ、第三趾２１３の下面部を第３下面部２１３Ａ、第四趾２１４の下面部を第４下面部２１４Ａ、小趾（第五趾）２１５の下面部を第５下面部２１５Ａとする。第１下面部２１１Ａ、第２下面部２１２Ａ、第３下面部２１３Ａ、第４下面部２１４Ａ、および第５下面部２１５Ａを総称して、足指２１０の下面部２１０Ａという場合がある。
【００２８】
母趾（第一趾）２１１と第二趾２１２の間を第１足指間２３１、第二趾２１２と第三趾２１３の間を第２足指間２３２、第三趾２１３と第四趾２１４の間を第３足指間２３３、第四趾２１４と小趾（第五趾）２１５の間を第４足指間２３４とする。第１足指間２３１、第２足指間２３２、第３足指間２３３、および第４足指間２３４を総称して、足指２１０の足指間２３０という場合がある。
【００２９】
足２００（２００Ｌ）の母趾２１１側と小趾２１５側とを結ぶ方向を左右方向とし、足の甲２０１（図６参照）側からみて、母趾２１１側を右方Ｒ、小趾２１５側を左方Ｌとする。足２００（２００Ｌ）のつま先２０４と踵２０６とを結ぶ方向を前後方向とし、前後方向においてつま先２０４側を前方Ｆ、踵２０６側を後方Ｂとする。足の甲２０１（図６参照）と足裏２０２を結ぶ方向を上下方向とし、上下方向において、足の甲２０１側を上方Ｕ、足裏２０２側を下方Ｄとする。
【００３０】
足指２１０（母趾（第一趾）２１１、第二趾２１２、第三趾２１３、第四趾２１４、および小趾（第五趾）２１５）の付け根の下面部を下面部２１７Ａとする。足指２１０の下面部２１０Ａ、および足指２１０の付け根の下面部２１７Ａによって形成される窪んだ部分を凹状部２２０とする。凹状部２２０は、左右方向（右方Ｒおよび左方Ｌ）に延びており、平面視では、前後方向における、つま先２０４側（前方Ｆ）に突出するように湾曲した形状を有している。
【００３１】
［全体構成］
次に、足指装着具１００の全体構成について説明する。図２は、本発明の第１実施形態に係る足指装着具１００の全体構成を示す平面図である。以下の足指装着具１００（１００Ｌ）の説明における前後方向、左右方向、および上下方向は、足指装着具１００（１００Ｌ）を使用者の足２００（左足２００Ｌ）に装着した状態における前後方向、左右方向、および上下方向と同じ方向とする。
【００３２】
図２に示すように、足指装着具１００は、本体部１０および突出部３０を有している。足指装着具１００は、使用者の足２００（左足２００Ｌ）の凹状部２２０および足指間２３０に装着されて使用される（図５参照）。本体部１０および突出部３０は、吸水性を有する素材で形成されており、足指間２３０および足裏２０２に生じた汗を吸収することで、足指２３０間の蒸れを低減させ、水虫の予防等を行う。
【００３３】
本体部１０は、足指装着具１００（１００Ｌ）を足２００（左足２００Ｌ）に装着させた状態において、凹状部２２０に装着される部分である（図１および図５参照）。本体部１０は、平面視で、左右方向（右方Ｒおよび左方Ｌ）に延びている。また、本体部１０は、前後方向において、つま先２０４側（前方Ｆ）に突出するように湾曲した形状を有している。本体部１０の形状および寸法は、平均的な使用者の凹状部２２０に適合するように設定されている。
【００３４】
突出部３０は、足指装着具１００（１００Ｌ）を足２００（左足２００Ｌ）に装着させた状態において、足指間２３０に挟持される部分である（図１および図５参照）。本実施形態では、突出部３０として、第１突出部３１、第２突出部３２、第３突出部３３、および第４突出部３４が設けられている。第１突出部３１、第２突出部３２、第３突出部３３、および第４突出部３４は、それぞれ、本体部１０に対して足指２１０側に突出するように設けられている。
【００３５】
第１突出部３１、第２突出部３２、第３突出部３３、および第４突出部３４の上部の自由端部側には、それぞれ膨出部３５が形成されている。膨出部３５は、第１突出部３１、第２突出部３２、第３突出部３３、および第４突出部３４の上部に沿って、左右方向（右方Ｒおよび左方Ｌ）に膨出するように形成されている（図３および図４参照）。
【００３６】
足指装着具１００（１００Ｌ）を足２００（左足２００Ｌ）に装着させた状態において、第１突出部３１は、母趾（第一趾）２１１と第二趾２１２の間の第１足指間２３１に挟持される。同様に、第２突出部３２は第２足指間２３２、第３突出部３３は第３足指間２３３、第４突出部３４は第４足指間２３４に挟持される。
【００３７】
足指装着具１００（１００Ｌ）を足２００（左足２００Ｌ）に装着させた状態において、各突出部３０の間の部分は、足指２１０の下面部２１０Ａに接触する。母趾（第一趾）２１１の第１下面部２１１Ａに接触する部分を第１接触部１１Ａ、第二趾２１２の第２下面部２１２Ａに接触する部分を第２接触部１２Ａ、第三趾２１３の第３下面部２１３Ａに接触する部分を第３接触部１３Ａ、第四趾２１４の第４下面部２１４Ａに接触する部分を第４接触部１４Ａ、および、小趾（第五趾）２１５の第５下面部２１５Ａに接触する部分を第５接触部１５Ａとする。
【００３８】
本体部１０のつま先２０４側の端部１０１の位置、および突出部３０のつま先２０４側の端部３０１の位置は、前後方向において実質的に一致するように形成されている。また、本体部１０の踵２０６側の端部１０３は、突出部３０の踵２０６側の端部３０３よりも踵２０６側に延びるように形成されている。
【００３９】
図３は、図２のＡ−Ａ線における足指装着具１００（１００Ｌ）の断面図である。図３に示すように、第１突出部３１、第２突出部３２、第３突出部３３、および第４突出部３４の上部の自由端部側には、それぞれ膨出部３５が形成されている。
【００４０】
本体部１０のうち、第２接触部１２Ａの上下方向における厚みを厚みＴ１とし（図４参照）、膨出部３５の左右方向における厚みを厚みＴ２とする。厚みＴ１は、厚みＴ２よりも厚くなるように形成されている。このため、突出部３０の吸水効率が低下しにくくなり、長時間に渡って足指間の蒸れを低減させることができる。
【００４１】
図４は、図２のＢ−Ｂ線における足指装着具１００（１００Ｌ）の断面図である。本体部１０は、前後方向における中央部において、上方Ｕに隆起するように形成されている。このため、足指装着具１００（１００Ｌ）を足２００（左足２００Ｌ）に装着させた状態において、本体部１０が足指２１０の下面部２１０Ａおよび足指２１０の付け根の下面部２１７Ａに接触しやすくなる（図８参照）。
【００４２】
ここで、足指装着具１００の吸水性素材について説明する。図３および図４に示すように、足指装着具１００の本体部１０および突出部３０は、不織布１８および高分子吸水材１９によって構成されている。不織布１８は、本体部１０および突出部３０の外形を保つとともに、足指間２３０および足裏２０２に生じた汗を内側に通過させる部材である。高分子吸水材１９は、不織布１８を通過してきた汗を吸収する部材である。高分子吸水材１９は、自重の数十倍以上の重量の水分を吸収および保持することが可能な高分子素材である。
【００４３】
次に、足指装着具１００（１００Ｌ）を足２００（左足２００Ｌ）に装着する状態について説明する。図５は、足指装着具１００（１００Ｌ）を装着した足２００（左足２００Ｌ）を足裏２０２側から見た平面図である。図６は、足指装着具１００（１００Ｌ）を装着した足２００（左足２００Ｌ）を足の甲２０１側から見た平面図である。
【００４４】
図５および図６に示すように、足指装着具１００（１００Ｌ）を足２００（左足２００Ｌ）に装着させた状態において、本体部１０は、凹状部２２０に装着されている。第１突出部３１は、第１足指間２３１に挟持され、第２突出部３２は第２足指間２３２に挟持され、第３突出部３３は第３足指間２３３に挟持され、第４突出部３４は第４足指間２３４に挟持されている。
【００４５】
図５に示すように、本体部１０は、つま先２０４側に突出するように湾曲しているため、足１００（１００Ｌ）の凹状部２２０に装着させやすくなり、使用時における本体部１０のずれを抑制することができる。
【００４６】
また、図６に示すように、突出部３０は、左右方向に膨出する膨出部３５が形成されているため、本体部１０および突出部３０を足指２１０に接触させやすくなるとともに、使用時における本体部１０および突出部３０のずれを抑制することができる。
【００４７】
図５に示すように、本体部１０のつま先２０４側の端部１０１の位置、および突出部３０のつま先２０４側の端部３０１の位置は、前後方向において実質的に一致するように形成されている。このため、本体部１０のつま先２０４側の端部３０１がめくれにくくなり、靴下やストッキングを着用した際に使用者が違和感を感じにくく、足指装着具１００を快適に使用することができる。
【００４８】
図７は、図６のＣ−Ｃ線における足指装着具１００（１００Ｌ）の断面図である。図８は、図６のＤ−Ｄ線における足指装着具１００（１００Ｌ）の断面図である。図７および図８において、足指装着具１００（１００Ｌ）の断面中の矢印は足指２１０から吸収された汗の移動を示している。
【００４９】
図７に示すように、足指間２３０に挟持される突出部３０が複数形成されているため、突出部３０から吸収された汗は、本体部１０の最下部に向かって拡散することとなり、吸水効率が高く、足指間２３０の蒸れを効果的に低減させることができる。
【００５０】
また、本体部１０のうち、第２接触部１２Ａの厚みＴ１は、膨出部３５の左右方向における厚みＴ２よりも厚くなるように形成されているため（図３および図４参照）、突出部３０の吸水効率が低下しにくくなり、長時間に渡って足指間の蒸れを低減させることができる。
【００５１】
図８に示すように、本体部１０は、前後方向における中央部において、上方に隆起するように形成されている。このため、本体部１０が足指２１０の下面部２１０Ａおよび足指２１０の付け根の下面部２１７Ａに接触して汗を吸収しやすくなるとともに、本体部１０の体積を増大させて吸水量を増大させることができ、長時間に渡って足指間の蒸れを低減させることができる。
【００５２】
また、本体部１０の踵２０６側の端部１０３は、突出部３０の踵２０６側の端部３０３よりも踵２０６側（後方Ｂ）に延びるように形成されている。このため、突出部３０から吸収した汗が本体部１０の最下部における踵２０６側（後方Ｂ）に拡散し、吸収された汗を足指間２３０から遠ざけることとなり、足指間２３０の蒸れを長時間に渡って効果的に低減させることができる。
【００５３】
［実施形態２］
次に、実施形態２に係る足指装着具１００Ａについて説明する。実施形態２の足指装着具１００Ａは、突出部３０が２箇所に設けられている点が、実施形態１に係る足指装着具１００と異なっている。以下の説明において、実施形態１と同様の構成には同一の符号を付して説明を省略し、実施形態１と異なる構成についてのみ説明する。
【００５４】
図９は、本発明の第２実施形態に係る足指装着具１００Ａの全体構成を示す平面図である。図９に示すように、足指装着具１００Ａは、第１足指間２３１に挟持される第１突出部３１Ａ、および第４足指間２３４に挟持される第４突出部３４Ａを備えている。
【００５５】
なお、突出部３０は、第１足指間２３１および第４足指間２３４に挟持される突出部３０に限定されず、第２足指間２３２および第３足指間２３３に挟持される突出部３０を設けてもよい。
【００５６】
また、突出部３０は、２箇所に限定されず、３箇所に設けるようにしてもよい。
【００５７】
［変形例］
本発明に係る足指装着具は、上記説明した本実施形態に限定されない。例えば、足指装着具１００の本体や突出部の形状は本実施形態の形状に限定されず、様々な形状を採用することができる。
【００５８】
足指装着具１００を構成する素材は、本実施形態の不織布および高分子吸水材に限定されず、他の吸水性を有する素材を用いることができる。
【００５９】
本体部１０の下面に、粘着部を設けるようにしてもよい。この場合、靴下やストッキングを着用した状態で本体部が靴下やストッキングに止着され、使用時における本体部および突出部のずれを抑制することができる。
【００６０】
また、本体部１０の上面に、粘着部を設けるようにしてもよい。この場合、足指の下面部および足指の付け根の下面部に本体部が止着されることとなり、使用時における本体部のずれを抑制することができる。
【００６１】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【産業上の利用可能性】
【００６２】
本発明の足指装着具は、吸水効率が高く、足指間の蒸れを効果的に低減させることができるため、水虫の予防等を行う足指装着具として用いることができる。
【符号の説明】
【００６３】
１００  足指装着具
１０    本体部
３０    突出部
３５    膨出部
２００  足
２０１  足の甲
２０２  足裏
２０４  つま先
２０６  踵
２１１  母趾
２１２  第二趾
２１２Ａ  第２下面部
２１５  小趾
２２０  凹状部
２３０  足指間
【図１】
2020005816.tif 000003
【図２】
2020005816.tif 000004
【図３】
2020005816.tif 000005
【図４】
2020005816.tif 000006
【図５】
2020005816.tif 000007
【図６】
2020005816.tif 000008
【図７】
2020005816.tif 000009
【図８】
2020005816.tif 000010
【図９】
2020005816.tif 000011